(57)【要約】      （修正有）【課題】移動端末が遠隔の電気通信デバイスとの通信に従事しているときに該移動端末の優先条件を設定又は維持する方法を提供する。【解決手段】移動端末に関連付けられた基地局ＢＳ２がセル間干渉コーディネーション手順に従事しているか否かを判断するステップ、移動端末ＭＴ１に関連付けられた基地局がＩＣＩＣ手順に従事している場合において、移動端末ＭＴ１が、該移動端末に関連付けられていない基地局ＢＳ１を介して通信するときは、移動端末の優先条件を設定するステップ、及び、移動端末に関連付けられた基地局ＢＳ２がＩＣＩＣ手順に従事していない場合において、移動端末ＭＴ１が、該移動端末に関連付けられていない基地局ＢＳ１を介して遠隔の電気通信デバイスＣＮと通信するときは、移動端末の優先条件を設定しないステップ、を含む。【選択図】図１
2010166559.tif 000002
【特許請求の範囲】
【請求項１】
移動端末が遠隔の電気通信デバイスとの通信に従事しているときに該移動端末の優先条件を設定又は維持する方法であって、前記優先条件は、前記移動端末が、該移動端末に関連付けられた基地局を介して前記遠隔の電気通信デバイスと通信するときに前記移動端末について設定され、該方法は、
前記移動端末に関連付けられた前記基地局がセル間干渉コーディネーション手順に従事しているか否かを判断するステップ、
前記移動端末に関連付けられた前記基地局がセル間干渉コーディネーション手順に従事している場合において、前記移動端末が、該移動端末に関連付けられていない基地局を介して前記遠隔の電気通信デバイスと通信するときは、前記移動端末の前記優先条件を設定するステップ、及び
前記移動端末に関連付けられた前記基地局がセル間干渉コーディネーション手順に従事していない場合において、前記移動端末が、該移動端末に関連付けられていない基地局を介して前記遠隔の電気通信デバイスと通信するときは、前記移動端末の前記優先条件を設定しないステップ、
を含むことを特徴とする、方法。
【請求項２】
前記移動端末に関連付けられた前記基地局が前記セル間干渉コーディネーション手順に従事しているときにおいて、前記移動端末が、該移動端末に関連付けられた前記基地局のカバレッジエリアに又は該カバレッジエリアの近くにいるときは、前記優先条件は、前記移動端末について設定されることを特徴とする、請求項１に記載の方法。
【請求項３】
前記移動端末に関連付けられた前記基地局が前記セル間干渉コーディネーション手順に従事しているときにおいて、前記移動端末が、該移動端末に関連付けられた前記基地局の前記カバレッジエリアにも該カバレッジエリアの近くにもいないときは、前記優先条件は、前記移動端末について設定されないことを特徴とする、請求項１又は２に記載の方法。
【請求項４】
前記移動端末に関連付けられた前記基地局が前記セル間干渉コーディネーション手順に従事しているか否かの前記判断は、前記移動端末によって転送されたメッセージの受信を検出することによって行われることを特徴とする、請求項１から請求項３までのいずれか１項に記載の方法。
【請求項５】
前記基地局に接続された無線セルラー電気通信ネットワークのコアネットワークデバイスによって実行されることを特徴とする、請求項１から請求項４までのいずれか１項に記載の方法。
【請求項６】
前記移動端末が、該移動端末に関連付けられていない前記基地局を介して前記遠隔の電気通信デバイスと通信するときの前記移動端末の前記優先条件は、或る継続時間の間設定され、且つ／又は、前記移動端末に関連付けられた前記基地局が前記セル間干渉コーディネーション手順に従事していないときは、前記移動端末が、該移動端末に関連付けられた前記基地局の前記カバレッジエリアに位置している限り設定されることを特徴とする、請求項１から請求項５までのいずれか１項に記載の方法。
【請求項７】
前記優先条件は、所与のサービス又はサービス群の優先料金請求ポリシーであることを特徴とする、請求項１から請求項６までのいずれか１項に記載の方法。
【請求項８】
移動端末に関連付けられた基地局がセル間干渉コーディネーション手順に従事していることを通知する方法であって、該方法は、前記移動端末に関連付けられた前記基地局によって実行されるステップであって、
前記基地局がセル間干渉コーディネーション手順に従事していることを通知するメッセージをデバイスから受信するステップ、及び
前記基地局がセル間干渉コーディネーション手順に従事していることを通知するメッセージを前記移動端末へ転送するステップ、
を含むことを特徴とする、方法。
【請求項９】
移動端末に関連付けられた基地局がセル間干渉コーディネーション手順に従事していることを通知する方法であって、該方法は、前記移動端末によって実行されるステップであって、
前記移動端末に関連付けられた前記基地局がセル間干渉コーディネーション手順に従事していることを通知するメッセージを、前記移動端末に関連付けられた前記基地局から受信するステップ、
前記受信されたメッセージを記憶するステップ、
前記移動端末に関連付けられていない基地局を選択するステップ、及び
前記移動端末に関連付けられた前記基地局がセル間干渉コーディネーション手順に従事していることを通知するメッセージを、前記選択された基地局へ転送するステップ、
を含むことを特徴とする、方法。
【請求項１０】
移動端末が遠隔の電気通信デバイスとの通信に従事しているときに該移動端末の優先条件を設定又は維持するデバイスであって、前記優先条件は、前記移動端末が、該移動端末に関連付けられた基地局を介して前記遠隔の電気通信デバイスと通信するときに前記移動端末について設定され、該優先条件を設定するデバイスは、
前記移動端末に関連付けられた前記基地局がセル間干渉コーディネーション手順に従事しているか否かを判断する手段、及び
前記移動端末に関連付けられた前記基地局が前記セル間干渉コーディネーション手順に従事している場合において、前記移動端末が、該移動端末に関連付けられていない基地局を介して前記遠隔の電気通信デバイスと通信するときは、前記移動端末の前記優先条件を設定する手段であって、該優先条件を設定する手段は、前記移動端末に関連付けられた前記基地局が前記セル間干渉コーディネーション手順に従事していない場合において、前記移動端末が、該移動端末に関連付けられていない基地局を介して前記遠隔の電気通信デバイスと通信するときは、前記移動端末の前記優先条件を設定しない、前記優先条件を設定する手段、
を備えることを特徴とする、デバイス。
【請求項１１】
移動端末に関連付けられた基地局がセル間干渉コーディネーション手順に従事していることを通知するデバイスであって、該通知するデバイスは、前記移動端末に関連付けられた前記基地局に含まれ、
前記基地局がセル間干渉コーディネーション手順に従事していることを通知するメッセージをデバイスから受信する手段、及び
前記基地局が前記セル間干渉コーディネーション手順に従事していることを通知するメッセージを前記移動端末へ転送する手段、
を備えることを特徴とする、デバイス。
【請求項１２】
移動端末に関連付けられた基地局がセル間干渉コーディネーション手順に従事していることを通知するデバイスであって、該通知するデバイスは、前記移動端末に含まれ、
前記移動端末に関連付けられた前記基地局がセル間干渉コーディネーション手順に従事していることを通知するメッセージを、前記移動端末に関連付けられた前記基地局から受信する手段、
前記受信されたメッセージを記憶する手段、
前記移動端末に関連付けられていない基地局を選択する手段、及び
前記移動端末に関連付けられた前記基地局が前記セル間干渉コーディネーション手順に従事していることを通知するメッセージを、前記選択された基地局へ転送する手段、
を備えることを特徴とする、デバイス。
【請求項１３】
プログラマブルデバイス内に直接ロード可能とすることができるコンピュータプログラムであって、該コンピュータプログラムがプログラマブルデバイス上で実行されると請求項１から請求項９までのいずれか１項に記載の方法の前記ステップを実施するための命令又はコード部を含む、コンピュータプログラム。
【発明の詳細な説明】
【技術分野】
【０００１】
本発明は、包括的には、移動端末が遠隔の電気通信デバイスとの通信に従事しているときに、移動端末の優先条件を設定又は維持する方法及びデバイスに関する。
【背景技術】
【０００２】
無線セルラー電気通信ネットワークは、大規模に展開されているが、いくつかのエリアは、まだ、無線セルラー電気通信ネットワークの基地局によってカバーされていない。
【０００３】
例えば、基地局によって放射された信号が減衰し過ぎる場合、無線セルラー電気通信ネットワークへのアクセスは、建物内に位置する移動端末には可能でない場合がある。
【０００４】
今日、解決法が提案されている。ホーム基地局又はフェムト基地局のような特定の基地局が、建物内のカバレッジエリアを提供する。
【０００５】
これらのホーム基地局は、それぞれの資源を介して、限られた個数の移動端末が無線セルラー電気通信ネットワークにアクセスすることを可能にする。それは、ホーム基地局によってその移動端末に提供されるサービス品質を維持するか、又はその移動端末に所望のサービスを提供するか、又はそれらの双方を行うためである。ホーム基地局を介してネットワークの資源にアクセスすることを許可される移動端末は、ホーム基地局の所有者、ネットワークの所有者、又はそれらの双方の組み合わせによって決定され得る。
【０００６】
所有者は、ここでは、一般的な意味に理解されなければならない。すなわち、所有者は、ホーム基地局のメインユーザのみの場合もあるし、電気通信事業者からホーム基地局を借り受けて事業者のネットワークを使用する人の場合もあるし、自宅又はオフィスにホーム基地局を設置する人の場合もある。
【０００７】
例えば、ホーム基地局の所有者及びその家族の移動端末しか、ホーム基地局を介して無線セルラー電気通信ネットワークにアクセスすることができない。これらの移動端末は、ホーム基地局に関連付けられている。
【０００８】
移動端末が基地局に関連付けられているとき、その移動端末は、優先条件のもとで遠隔の通信デバイスとの通信を確立するために無線セルラー電気通信ネットワークにアクセスする。この優先条件は、例えば、所与のサービスの優先料金請求ポリシー(a preferential charging policy)、又は優先サービス、又はそれらの双方である。
【０００９】
他の移動端末は、ホーム基地局を介して無線セルラー電気通信ネットワークにアクセスすることができない。他の移動端末は、ホーム基地局に関連付けられていない。
【００１０】
ホーム基地局に関連付けられていない移動端末がホーム基地局の近くにいるとき、ホーム基地局は、これらの移動端末と、それらの移動端末が関連付けられている基地局又は無線セルラー電気通信ネットワークのマクロ基地局との間に存在するダウンリンクチャネル及び／又はアップリンクチャネルのいずれかにおいて干渉を引き起こす。
【００１１】
これらの移動端末についての干渉を削減するための１つの解決法は、ホーム基地局の信号送信電力を削減することである。このような技法は、一般に、ＩＣＩＣ（セル間干渉コーディネーション(Inter Cell Interference Coordination)）手順と呼称される。
【００１２】
その電力削減によって、ホーム基地局のカバレッジエリアが削減され、このカバレッジの削減によって、サービス品質が低下するおそれがあり、サービス中断、ホーム基地局に関連付けられたアクティブな移動端末の呼びの切断、及びホーム基地局に関連付けられたアイドルな移動端末のサービス利用不能が引き起こされるおそれがある。
【００１３】
本発明は、基地局に関連付けられていない移動端末の干渉を引き起こすことなく、基地局に関連付けられた移動端末の優先条件でサービス継続性を保つことを目的とする。
【００１４】
このために、本発明は、移動端末が遠隔の電気通信デバイスとの通信に従事しているときに移動端末の優先条件を設定又は維持する方法であって、優先条件は、移動端末が、該移動端末に関連付けられた基地局を介して遠隔の電気通信デバイスと通信するときに移動端末について設定され、該方法は、
移動端末に関連付けられた基地局がセル間干渉コーディネーション手順に従事しているか否かを判断するステップ、
移動端末に関連付けられた基地局がセル間干渉コーディネーション手順に従事している場合において、移動端末が、該移動端末に関連付けられていない基地局を介して遠隔の電気通信デバイスと通信するときは、移動端末の優先条件を設定するステップ、及び
移動端末に関連付けられた基地局がセル間干渉コーディネーション手順に従事していない場合において、移動端末が、該移動端末に関連付けられていない基地局を介して遠隔の電気通信デバイスと通信するときは、移動端末の優先条件を設定しないステップ、
を含むことを特徴とする、方法に関する。
【００１５】
本発明はまた、移動端末が遠隔の電気通信デバイスとの通信に従事しているときに該移動端末の優先条件を設定又は維持するデバイスであって、優先条件は、移動端末が、該移動端末に関連付けられた基地局を介して遠隔の電気通信デバイスと通信するときに移動端末について設定され、該優先条件を設定するデバイスは、
移動端末に関連付けられた基地局がセル間干渉コーディネーション手順に従事しているか否かを判断する手段、及び
移動端末に関連付けられた基地局がセル間干渉コーディネーション手順に従事している場合において、移動端末が、該移動端末に関連付けられていない基地局を介して遠隔の電気通信デバイスと通信するときは、移動端末の優先条件を設定する手段であって、該優先条件を設定する手段は、移動端末に関連付けられた基地局がセル間干渉コーディネーション手順に従事していない場合において、移動端末が、該移動端末に関連付けられていない基地局を介して遠隔の電気通信デバイスと通信するときは、移動端末の優先条件を設定しない、優先条件を設定する手段、
を備えることを特徴とする、デバイスにも関する。
【００１６】
したがって、移動端末が関連付けられている基地局によって該移動端末がサービス提供されているときに定義された優先条件でのサービス継続性が、基地局に関連付けられていない移動端末の干渉を引き起こすことなく、基地局に関連付けられた移動端末について保持される。
【００１７】
優先条件は、移動端末に関連付けられた基地局がセル間干渉コーディネーション手順に従事している場合において、移動端末が、該移動端末に関連付けられていない基地局を介して遠隔の電気通信デバイスと通信するときに、該移動端末について設定されるので、該移動端末が関連付けられている基地局のカバレッジエリアがたとえ削減されても、該移動端末は、依然として優先条件を保持する。
【００１８】
一特定の特徴によれば、移動端末に関連付けられた基地局がセル間干渉コーディネーション手順に従事しているときにおいて、移動端末が、該移動端末に関連付けられた基地局のカバレッジエリアに又は該カバレッジエリアの近くにいるときは、優先条件は、移動端末について設定される。
【００１９】
したがって、移動端末が関連付けられている基地局のカバレッジエリアの下にいる該移動端末は、該移動端末が関連付けられていない別の基地局の資源を介して通信サービスにアクセスしても、優先条件を保持することができる。
【００２０】
一特定の特徴によれば、移動端末に関連付けられた基地局がセル間干渉コーディネーション手順に従事しているときにおいて、移動端末が、該移動端末に関連付けられた基地局のカバレッジエリアにも該カバレッジエリアの近くにもいないときは、優先条件は、移動端末について設定されない。
【００２１】
したがって、移動端末に関連付けられた基地局がセル間干渉コーディネーション手順に従事しているときに、該移動端末が関連付けられている基地局のカバレッジの下にいない該移動端末に優先条件を与えないことによって、所与のエリアに対してのみ優先条件の入手権利を制限することが可能である。
【００２２】
一特定の特徴によれば、移動端末に関連付けられた基地局がセル間干渉コーディネーション手順に従事しているか否かの判断は、移動端末によって転送されたメッセージの受信を検出することによって行われる。
【００２３】
したがって、このメッセージは、移動端末の基地局のカバレッジがセル間干渉コーディネーション手順によって削減されることを該移動端末に知らせ、該移動端末の基地局のカバレッジの下にいるアイドルな移動端末が他の基地局に接続するのに使用することができる。
【００２４】
一特定の特徴によれば、該方法は、基地局を備える無線セルラー電気通信ネットワークのコアネットワークデバイスによって実行される。
【００２５】
したがって、コアネットワークデバイスは、セル間干渉コーディネーション手順に従事している基地局のカバレッジの下にいる移動端末に、それらの移動端末の基地局のカバレッジが削減されることを知らせることができ、それらの移動端末が接続を許可される対象基地局を示すことができる。この対象基地局は、コアネットワークデバイスの情報又はコアネットワークデバイスによって取得された情報を介して規定することができる。
【００２６】
一特定の特徴によれば、移動端末が、該移動端末に関連付けられていない基地局を介して遠隔の電気通信デバイスと通信するときの移動端末の優先条件は、或る継続時間の間設定され、且つ／又は、移動端末に関連付けられた基地局がセル間干渉コーディネーション手順に従事していないときは、移動端末が、該移動端末に関連付けられた基地局のカバレッジエリアに位置しているか又は該カバレッジエリアの近くに位置している限り設定される。
【００２７】
したがって、優先条件設定は、時間に制限されるとともに、移動端末に関連付けられた基地局のカバレッジエリアに位置するか又は該カバレッジエリアの近くに位置する該移動端末に制限される。
【００２８】
一特定の特徴によれば、優先条件は、所与のサービス又はサービス群の優先料金請求ポリシーである。
【００２９】
したがって、優先料金請求ポリシーを与えることによって、ホーム基地局の展開が促進される。
【００３０】
本発明はまた、移動端末に関連付けられた基地局がセル間干渉コーディネーション手順に従事していることを通知する方法であって、該方法は、移動端末に関連付けられた基地局によって実行されるステップであって、
基地局がセル間干渉コーディネーション手順に従事していることを通知するメッセージをデバイスから受信するステップ、及び
基地局がセル間干渉コーディネーション手順に従事していることを通知するメッセージを移動端末へ転送するステップ、
を含むことを特徴とする、方法にも関する。
【００３１】
本発明はまた、移動端末に関連付けられた基地局がセル間干渉コーディネーション手順に従事していることを通知するデバイスであって、該通知するデバイスは、移動端末に関連付けられた基地局に含まれ、
基地局がセル間干渉コーディネーション手順に従事していることを通知するメッセージをデバイスから受信する手段、及び
基地局がセル間干渉コーディネーション手順に従事していることを通知するメッセージを移動端末へ転送する手段、
を備えることを特徴とする、デバイスにも関する。
【００３２】
したがって、基地局は、該基地局が関連付けられているすべての移動端末に通知し、その結果、アクティブな端末は他の基地局にハンドオーバし、それらの移動端末が関連付けられている基地局がセル間干渉コーディネーション手順に従事していることを示す情報を有することになる。優先条件は、その結果、それらの移動端末について維持することができる。アイドルな移動端末は、このメッセージを記憶し、遠隔の通信デバイスとの通信を開始する必要があるときにこのメッセージを使用することになる。
【００３３】
本発明はまた、移動端末に関連付けられた基地局がセル間干渉コーディネーション手順に従事していることを通知する方法であって、該方法は、移動端末によって実行されるステップであって、
移動端末に関連付けられた基地局がセル間干渉コーディネーション手順に従事していることを通知するメッセージを、移動端末に関連付けられた基地局から受信するステップ、
受信されたメッセージを記憶するステップ、
移動端末に関連付けられていない基地局を選択するステップ、及び
移動端末に関連付けられた基地局がセル間干渉コーディネーション手順に従事していることを通知するメッセージを、選択された基地局へ転送するステップ、
を含むことを特徴とする、方法にも関する。
【００３４】
本発明はまた、移動端末に関連付けられた基地局がセル間干渉コーディネーション手順に従事していることを通知するデバイスであって、該通知するデバイスは、移動端末に含まれ、
移動端末に関連付けられた基地局がセル間干渉コーディネーション手順に従事していることを通知するメッセージを、移動端末に関連付けられた基地局から受信する手段、
受信されたメッセージを記憶する手段、
移動端末に関連付けられていない基地局を選択する手段、及び
移動端末に関連付けられた基地局がセル間干渉コーディネーション手順に従事していることを通知するメッセージを、選択された基地局へ転送する手段、
を備えることを特徴とする、デバイスにも関する。
【００３５】
したがって、セル間干渉コーディネーション手順に従事している基地局のカバレッジ内又はカバレッジの近くのアイドルな移動端末は、この通知メッセージを使用して、自身が接続を試みる別の基地局に、接続の原因が、自身が関連付けられている基地局のセル間干渉コーディネーションであることを知らせる。その結果、別の基地局は、移動端末に関連付けられた基地局がセル間干渉コーディネーション手順に従事しているか否かに気付くことが容易になる。
【００３６】
さらに別の態様によれば、本発明は、プログラマブルデバイス内に直接ロード可能とすることができるコンピュータプログラムであって、該コンピュータプログラムがプログラマブルデバイス上で実行されると本発明による方法のステップを実施するための命令又はコード部を含む、コンピュータプログラムに関する。
【００３７】
コンピュータプログラムに関連する特徴及び利点は、本発明による方法及び装置に関連して上記で述べたものと同じであるので、ここでは繰り返さないことにする。
【００３８】
本発明の特徴は、一例の実施形態の以下の説明を読むことによってより明らかになる。該説明は、添付図面を参照して作成されたものである。
【図面の簡単な説明】
【００３９】
【図１】本発明が実施される無線セルラー電気通信ネットワークを表す。
【図２】本発明が実施される移動端末のアーキテクチャを表す図である。
【図３】本発明が実施されるコアネットワークデバイスのアーキテクチャを表す図である。
【図４】本発明が実施される基地局のアーキテクチャを表す図である。
【図５ａ】本発明による移動端末によって実行される第１のアルゴリズムの一例を開示する。
【図５ｂ】本発明による移動端末によって実行される第２のアルゴリズムの一例を開示する。
【図６ａ】本発明による基地局によって実行される第１のアルゴリズムの一例を開示する。
【図６ｂ】本発明による基地局によって実行される第２のアルゴリズムの一例を開示する。
【図７ａ】本発明によるコアネットワークデバイスによって実行される第１のアルゴリズムの一例を開示する。
【図７ｂ】本発明によるコアネットワークデバイスによって実行される第２のアルゴリズムの一例を開示する。
【発明を実施するための形態】
【００４０】
図１は、本発明が実施される無線セルラー電気通信ネットワークを表す。
【００４１】
図１には、無線セルラー電気通信ネットワークの２つの基地局ＢＳ１及びＢＳ２と２つの移動端末ＭＴ１及びＭＴ２とが示されている。
【００４２】
基地局ＢＳ１は、例えば、無線セルラー電気通信ネットワークのマクロ基地局であり、基地局ＢＳ２は、例えば、フェムト基地局又はピコ基地局のようなホーム基地局である。基地局ＢＳ２は、例えば、ホーム（自宅）内に位置し、基地局ＢＳ２に関連付けられた移動端末ＭＴが優先条件で無線セルラー電気通信ネットワークにアクセスすることを可能にすることができる。
【００４３】
基地局ＢＳによってカバーされるエリアは、そのエリアに位置する移動端末が、基地局ＢＳによって転送された信号を第１の所定の値よりも高いレベルで受信することができるエリアである。基地局ＢＳによってカバーされるエリアは、基地局ＢＳが、そのエリアに位置する移動端末によって転送された信号を第２の所定の値よりも高いレベルで受信するエリア又は移動端末ＭＴが一定のしきい値を上回る信号対干渉比を測定するエリア又はそれらの双方のエリアである。
【００４４】
一変形では、基地局ＢＳ１は、フェムト基地局又はピコ基地局のようなホーム基地局である。
【００４５】
例えば、移動端末ＭＴ２は、基地局ＢＳ２に関連付けられているが、基地局ＢＳ１に関連付けられていない。移動端末ＭＴ１は、基地局ＢＳ１及びＢＳ２に関連付けられていない。
【００４６】
例えば、基地局ＢＳ及び移動端末ＭＴは、基地局ＢＳが移動端末ＭＴの所有者の所有物であるとき、又は基地局ＢＳが移動端末ＭＴの所有者の家族若しくは友人の所有物であるとき、又は移動電気通信サービスプロバイダがＢＳを移動端末ＭＴの所有者に貸し出しているとき、又はそれらの双方のときに関連付けられる。
【００４７】
移動端末ＭＴ２が基地局ＢＳ２に関連付けられているとき、移動端末ＭＴ２は、優先条件のもとで遠隔の通信デバイスとの通信を確立するために、無線セルラー電気通信ネットワークにアクセスすることができる。優先条件は、例えば、移動端末ＭＴ２が基地局ＢＳ１のようなマクロ基地局を介して無線セルラー電気通信ネットワークにアクセスするときに移動端末ＭＴ２に料金請求するのに標準的に使用される、所与のサービス又はサービス群の料金請求ポリシーと比較して、優先的な、所与のサービス又はサービス群の料金請求ポリシーである。
【００４８】
遠隔の電気通信デバイスは、例えば、移動電話とすることもできるし、公衆交換電気通信網又は少なくとも１つのサービスプロバイダのサーバのようなサーバにリンクされている電話とすることもできる。
【００４９】
一変形では、優先条件は、例えば、移動端末ＭＴが基地局ＢＳ１を介して無線セルラー電気通信ネットワークにアクセスするときに、移動端末ＭＴがアクセスすることができない優先サービスへのアクセスとすることができる。
【００５０】
基地局ＢＳ１は、基地局ＢＳ１のカバレッジエリアＡＲ１に位置する移動端末ＭＴによって転送された信号を受信することができる。基地局ＢＳ１は、基地局ＢＳ１のカバレッジエリアＡＲ１に位置する移動端末ＭＴが受信して処理することができる信号を転送する。
【００５１】
基地局ＢＳ２がＩＣＩＣ手順に従事していないとき、基地局ＢＳ２は、基地局ＢＳ２のカバレッジエリアＡＲ２に位置する移動端末ＭＴによって転送された信号を受信することができる。基地局ＢＳ２は、基地局ＢＳ２のカバレッジエリアＡＲ２に位置する移動端末ＭＴが受信して処理することができる信号を転送する。
【００５２】
カバレッジエリアＡＲ２は、カバレッジエリアＡＲ１に少なくとも部分的に含まれる。
【００５３】
基地局ＢＳ２がＩＣＩＣ手順に従事していないとき、基地局ＢＳ２は、基地局ＢＳ２のカバレッジエリアＡＲ２’に位置する移動端末ＭＴによって転送された信号を受信することができる。基地局ＢＳ２は、基地局ＢＳ２のカバレッジエリアＡＲ２’に位置する移動端末ＭＴが受信して処理することができる信号を転送する。
【００５４】
基地局ＢＳ２がＩＣＩＣ手順に従事しているとき、基地局ＢＳ２のカバレッジエリアＡＲ２’は、基地局ＢＳ２がＩＣＩＣ手順に従事していないときの基地局ＢＳ２のカバレッジエリアＡＲ２と比較して減少される。ここで、カバレッジエリアＡＲ２’がヌルに削減される場合があることに留意しなければならない。
【００５５】
移動端末ＭＴは、基地局ＢＳ２によって転送された信号を継続的に監視することができ、カバレッジエリアＡＲ２とＡＲ２’との間の相違を推定する。その測定に関連した情報は、コアネットワークデバイスＣＮへ送信されることができ、コアネットワークデバイスＣＮは、その情報を使用して、移動端末ＭＴが基地局ＢＳ２のカバレッジエリアＡＲ２に位置するか否かを評価する。コアネットワークデバイスＣＮは、基地局ＢＳ２に関連付けられたさまざまな移動端末ＭＴの測定値の統計量に基づいてカバレッジエリアＡＲ２’の値を割り当てることができ、移動端末ＭＴが関連付けられている基地局ＢＳ２の近傍に移動端末ＭＴがいるか否かをネットワークが評価することを助けることができるしきい値を割り当てることができる。
【００５６】
移動端末ＭＴ１及びＭＴ２は、カバレッジエリアＡＲ１及びＡＲ２に位置する。
【００５７】
一特定の特徴によれば、移動端末ＭＴがホーム基地局ＢＳに関連付けられていないとき、その移動端末ＭＴは、優先条件があろうとなかろうと、ホーム基地局ＢＳを介した遠隔の電気通信デバイスとの通信の確立も受信も行うことができない。
【００５８】
基地局ＢＳ２が動作しているとき、基地局ＢＳ２は、基地局ＢＳ１によって受信又は放射される信号と干渉し得る信号を放射する。
【００５９】
本発明によれば、基地局ＢＳ２が、基地局ＢＳ１によって受信又は放射される信号と干渉し得る信号を放射するとき、基地局ＢＳ２の放射信号の送信電力が削減されるか又は基地局ＢＳ２がシャットダウンされる。
【００６０】
このような場合、基地局ＢＳ２のカバレッジエリアＡＲ２は、カバレッジエリアＡＲ２’に削減される。移動端末ＭＴ２は、基地局ＢＳ２のカバレッジエリアＡＲ２’にもはや位置していない。このような場合、移動端末ＭＴ２は、同じ優先条件のもとで遠隔の通信デバイスとの通信を確立するために、あたかも基地局ＢＳ２を介して無線セルラー電気通信ネットワークにアクセスするように、基地局ＢＳ１を介して無線セルラー電気通信ネットワークにアクセスすることが許可される。
【００６１】
ここで、一変形では、基地局ＢＳ１の信号送信電力は増加され、基地局ＢＳ２の信号送信電力は減少されるか又は基地局ＢＳ２がＩＣＩＣ手順に従事していないときのレベルと同じレベルに維持されることに留意しなければならない。
【００６２】
各基地局ＢＳ１及びＢＳ２は、図１に図示しない電気通信ネットワークを介して無線セルラー電気通信ネットワークのコアネットワークデバイスＣＮに接続される。
【００６３】
基地局ＢＳ１は、電気通信ネットワーク上に確立されたリンクＳ１1を介してコアネットワークデバイスＣＮにリンクされる。
【００６４】
基地局ＢＳ２は、電気通信ネットワーク上に確立されたリンクＳ１2を介してコアネットワークデバイスＣＮにリンクされる。
【００６５】
基地局ＢＳ１は、電気通信ネットワーク上に確立されたリンクＸ２12を介して基地局ＢＳ２にリンクされ得る。
【００６６】
本発明によれば、優先条件は、移動端末に関連付けられた基地局がセル間干渉コーディネーション手順に従事しているときにおいて、該移動端末が、該移動端末に関連付けられた基地局のカバレッジエリアにいるとき又はカバレッジエリアの近くにいるときに、該移動端末について設定される。
【００６７】
本発明によれば、移動端末に関連付けられた基地局ＢＳ２がセル間干渉コーディネーション手順に従事していない場合において、該移動端末ＭＴが、該移動端末に関連付けられていないマクロ基地局ＢＳ１のような基地局を介して遠隔の電気通信デバイスと通信するとき、又は、基地局ＢＳ２がセル間干渉コーディネーション手順に従事しているときにおいて、該移動端末ＭＴが、該移動端末ＭＴに関連付けられた基地局ＢＳ２のカバレッジエリアにもその近くにも位置していない場合には、優先条件は該移動端末について設定されない。
【００６８】
本発明によれば、移動端末ＭＴに関連付けられた基地局ＢＳ２が、セル間干渉コーディネーション手順に従事しているとき、移動端末ＭＴに関連付けられた基地局ＢＳ２は、基地局ＢＳ２がセル間干渉コーディネーション手順に従事していることを通知するメッセージをデバイスから受信し、基地局ＢＳ２がセル間干渉コーディネーション手順に従事していることを通知するメッセージを移動端末ＭＴへ転送する。
【００６９】
本発明によれば、移動端末ＭＴに関連付けられた基地局ＢＳ２が、セル間干渉コーディネーション手順に従事しているとき、移動端末ＭＴは、
−移動端末ＭＴに関連付けられた基地局ＢＳ２がセル間干渉コーディネーション手順に従事していることを通知するメッセージを、移動端末ＭＴに関連付けられた基地局ＢＳから受信し、
−受信されたメッセージを記憶し、
−移動端末ＭＴに関連付けられていない基地局ＢＳ１を選択し、
−移動端末ＭＴに関連付けられた基地局ＢＳ２がセル間干渉コーディネーション手順に従事していることを通知するメッセージを、選択された基地局ＢＳ１へ転送する。
【００７０】
図２は、本発明が実施される移動端末のアーキテクチャを表す図である。
【００７１】
移動端末ＭＴは、例えば、バス２０１によって互いに接続されたコンポーネントと、図５に開示するようなプログラムによって制御されるプロセッサ２００とからなるアーキテクチャを有する。
【００７２】
バス２０１は、プロセッサ２００を、読み出し専用メモリＲＯＭ２０２、ランダムアクセスメモリＲＡＭ２０３及び無線インタフェース２０５にリンクする。
【００７３】
メモリ２０３は、変数と、図５ａ及び図５ｂに開示するようなプログラムの命令とを収容するように意図されたレジスタを含む。
【００７４】
メモリ２０３は、本発明によるＩＣＩＣフラグを記憶することができる。
【００７５】
プロセッサ２００は、無線インタフェース２０５の動作を制御する。
【００７６】
読み出し専用メモリ２０２は、図５に開示するようなプログラムの命令を含む。これらの命令は、移動端末ＭＴの電源が投入されると、ランダムアクセスメモリ２０３へ転送される。
【００７７】
無線インタフェース２０５は、移動端末ＭＴが基地局ＢＳへ／から信号又はメッセージを転送及び／又は受信することを可能にする。
【００７８】
無線インタフェース２０５は、基地局ＢＳによって転送された信号を測定又は検出する手段を備える。信号は、基地局ＢＳ１によって放射及び／又は転送された信号と干渉する信号の場合がある。
【００７９】
移動端末ＭＴは、図２に図示しない全地球測位システムモジュールのような全地球的航法衛星システムモジュールを備えることができる。
【００８０】
図３は、本発明が実施されるコアネットワークデバイスのアーキテクチャを表す図である。
【００８１】
コアネットワークデバイスＣＮは、例えば、バス３０１によって互いに接続されたコンポーネントと、図５に開示するようなプログラムによって制御されるプロセッサ３００とからなるアーキテクチャを有する。
【００８２】
バス３０１は、プロセッサ３００を、読み出し専用メモリＲＯＭ３０２、ランダムアクセスメモリＲＡＭ３０３、及びネットワークインタフェース３０６にリンクする。
【００８３】
メモリ３０３は、変数と、図７ａ及び図７ｂに開示するようなアルゴリズムに関連したプログラムの命令とを収容するように意図されたレジスタを含む。
【００８４】
メモリ３０３は、関連付けられた移動端末ＭＴ及び基地局ＢＳの各対を識別する情報を含むことができる。
【００８５】
メモリ３０３は、基地局ＢＳの近傍条件を表すものを含むことができる。
【００８６】
プロセッサ３００は、ネットワークインタフェース３０６の動作を制御する。
【００８７】
読み出し専用メモリ３０２は、図７に開示するようなアルゴリズムに関連したプログラムの命令を含む。これらの命令は、コアネットワークデバイスＣＮの電源が投入されると、ランダムアクセスメモリ３０３へ転送される。
【００８８】
コアネットワークデバイスＣＮは、ネットワークインタフェース３０６を介して図１に図示しない電気通信ネットワークに接続することができる。ネットワークインタフェース３０６は、例えば、ＤＳＬ（デジタル加入者線）モデム又はＩＳＤＮ（サービス統合デジタル網）インタフェース等である。ネットワークインタフェース３０６を介して、コアネットワークデバイスＣＮは、少なくとも１つの基地局ＢＳへ／からメッセージを転送又は受信することができる。
【００８９】
メッセージは、電気通信ネットワーク上においてコアネットワークデバイスＣＮと基地局ＢＳとの間に確立されたリンクＳ１を介して、転送又は受信される。
【００９０】
図４は、本発明が実施される基地局のアーキテクチャを表す図である。
【００９１】
基地局ＢＳは、例えば、バス４０１によって互いに接続されたコンポーネントと、図６ａ及び図６ｂに開示するようなプログラムによって制御されるプロセッサ４００とからなるアーキテクチャを有する。
【００９２】
バス４０１は、プロセッサ４００を、読み出し専用メモリＲＯＭ４０２、ランダムアクセスメモリＲＡＭ４０３、無線インタフェース４０５、及びネットワークインタフェース４０６にリンクする。
【００９３】
メモリ４０３は、変数と、図６に開示するようなアルゴリズムに関連したプログラムの命令とを収容するように意図されたレジスタを含む。
【００９４】
メモリ４０３は、基地局ＢＳの近傍条件を表すものを含むことができる。
【００９５】
プロセッサ４００は、ネットワークインタフェース４０６及び無線インタフェース４０５の動作を制御する。
【００９６】
読み出し専用メモリ４０２は、図６に開示するようなアルゴリズムに関連したプログラムの命令を含む。これらの命令は、基地局ＢＳの電源が投入されると、ランダムアクセスメモリ４０３へ転送される。
【００９７】
基地局ＢＳは、ネットワークインタフェース４０６を介して電気通信ネットワークに接続することができる。ネットワークインタフェース４０６は、例えば、ＤＳＬ（デジタル加入者線）モデム又はＩＳＤＮ（サービス統合デジタル網）インタフェース等である。ネットワークインタフェース４０６を介して、基地局ＢＳは、コアネットワークデバイスＣＮ又は他の基地局ＢＳへメッセージを転送することもできるし、他の基地局ＢＳ又はコアネットワークデバイスＣＮからメッセージを受信することもできる。
【００９８】
メッセージは、電気通信ネットワーク上において基地局ＢＳとコアネットワークデバイスＣＮとの間に確立されたリンクＳ１、又は基地局ＢＳと他の基地局ＢＳとの間に確立されたリンクＸ２を介して転送される。
【００９９】
無線インタフェース４０５及びネットワークインタフェース４０６は、移動端末ＭＴが遠隔の電気通信デバイスとの通信を確立又は受信するときに、無線セルラー電気通信ネットワークにアクセスするために移動端末ＭＴによって使用される基地局ＢＳの資源である。
【０１００】
無線インタフェース４０５は、本発明によるＩＣＩＣフラグを転送する手段を備える。
【０１０１】
より詳細には、ＩＣＩＣフラグは、基地局ＢＳよりブロードキャストチャネルを介して転送することができる。すなわち、ＩＣＩＣフラグは、基地局ＢＳに関連付けられるとともに基地局ＢＳのカバレッジエリアに位置する各移動端末ＭＴへ基地局ＢＳによって転送される。
【０１０２】
ブロードキャストチャネルは、移動端末に関連付けられた基地局ＢＳから信号を受信するためのチャネルであって、すべての移動端末ＭＴ又は少なくとも２つの移動端末ＭＴに共通のチャネルである。
【０１０３】
図５ａは、本発明による移動端末によって実行される第１のアルゴリズムの一例を開示する。
【０１０４】
より正確には、本アルゴリズムは、各移動端末ＭＴのプロセッサ２００によって実行することができる。
【０１０５】
例えば、本アルゴリズムは、移動端末ＭＴ１のプロセッサ２００によって、定期的に又は移動端末ＭＴ１が測定に取りかかるように要求された時に実行される。
【０１０６】
ステップＳ５００において、プロセッサ２００は、移動端末ＭＴ１を取り囲む基地局ＢＳによって転送される信号に対していくつかの測定を実行するように無線インタフェース２０５に指令する。
【０１０７】
移動端末ＭＴ１は、カバレッジエリアＡＲ１にも位置するし、カバレッジエリアＡＲ２にも位置するので、基地局ＢＳ１によって転送された信号及び基地局ＢＳ２によって転送された信号が、移動端末ＭＴ１によって受信される。
【０１０８】
さらに、移動端末ＭＴ２が、基地局ＢＳ２を介して遠隔の電気通信デバイスと通信中である場合、移動端末ＭＴ２によって転送された信号は、移動端末ＭＴ１及び基地局ＢＳ１によっても受信される。
【０１０９】
これらの受信された信号は、基地局ＢＳ１と移動端末ＭＴ１との間の通信を妨げるおそれがある干渉信号である。
【０１１０】
次のステップＳ５０１において、プロセッサ２００は、基地局ＢＳ１へのメッセージの転送を指令する。このメッセージは、ステップＳ５００において実行された測定値、及び基地局ＢＳ１とＢＳ２との間のＩＣＩＣ手順の基礎として機能することができる干渉信号の強度のインジケータを含む。
【０１１１】
一変形では、ステップＳ５０１は実行されない。
【０１１２】
その後、プロセッサ２００は本アルゴリズムを中断する。
【０１１３】
図５ｂは、本発明による移動端末によって実行される第２のアルゴリズムの一例を開示する。
【０１１４】
より正確には、本アルゴリズムは、基地局ＢＳに関連付けられた各移動端末ＭＴのプロセッサ２００によって実行することができる。
【０１１５】
例えば、本アルゴリズムは、移動端末ＭＴ２が遠隔の電気通信デバイスと通信中であるとき又は移動端末ＭＴ２がアイドルモードにあるときに、移動端末ＭＴ２のプロセッサ２００によって実行される。
【０１１６】
ステップＳ５１０において、プロセッサ２００は、移動端末ＭＴ２が関連付けられている基地局ＢＳ２から、ＩＣＩＣフラグを含むメッセージが受信されるか否かをチェックする。
【０１１７】
移動端末ＭＴ２が関連付けられている基地局ＢＳ２から、ＩＣＩＣフラグを含むメッセージが受信される場合、プロセッサ２００はステップＳ５１１へ移動する。そうでない場合、プロセッサ２００は本アルゴリズムを中断する。
【０１１８】
ＩＣＩＣフラグは、コアネットワークデバイスＣＮから基地局ＢＳ２によって受信されることができ、基地局ＢＳ２によって転送されることができる。
【０１１９】
一変形では、ＩＣＩＣフラグは、基地局ＢＳ２に関連付けられた移動端末ＭＴと基地局ＢＳ２とによって共有される暗号化鍵で解読される。
【０１２０】
ステップＳ５１１において、プロセッサ２００は、ＲＡＭメモリ２０３にＩＣＩＣフラグを記憶する。
【０１２１】
次のステップＳ５１２において、プロセッサ２００は、無線インタフェース２０５によって実行された測定に基づいて新しい基地局ＢＳを選択する。
【０１２２】
移動端末ＭＴ２は、基地局ＢＳ１のカバレッジエリアＡＲ１にも位置しているので、基地局ＢＳ１によって転送された信号は、高い電力で移動端末ＭＴ２によって受信され、プロセッサ２００は基地局ＢＳ１を選択する。
【０１２３】
次のステップＳ５１３において、移動端末ＭＴ２は、ＩＣＩＣフラグを含むメッセージの、選択された基地局ＢＳ１への転送を指令する。
【０１２４】
その後、移動端末ＭＴ２は、あたかも基地局ＢＳ２を介して無線セルラー電気通信ネットワークにアクセスするように、同じ優先条件のもとで基地局ＢＳ１を介して無線セルラー電気通信ネットワークにアクセスすることができる。
【０１２５】
移動端末ＭＴ２が遠隔の電気通信デバイスと通信中である場合、基地局ＢＳ１とのハードハンドオーバ又はソフトハンドオーバが実行される。
【０１２６】
図６ａは、本発明による基地局によって実行される第１のアルゴリズムの一例を開示する。
【０１２７】
より正確には、本アルゴリズムは、各基地局ＢＳのプロセッサ４００によって実行される。
【０１２８】
ステップＳ６００において、プロセッサ４００は、干渉信号に対する測定値を含むメッセージの受信を検出する。メッセージは、無線インタフェース４０５を介して受信され、図５ａのステップＳ５０１において開示したものと同様である。
【０１２９】
次のステップＳ６０１において、プロセッサ４００は、ステップＳ６００において受信されたメッセージのコアネットワークデバイスＣＮへの転送を指令する。このメッセージは、基地局ＢＳの無線インタフェース４０５によって測定された干渉信号の測定値をさらに含むことができる。
【０１３０】
その後、プロセッサ４００は本アルゴリズムを中断する。
【０１３１】
図６ｂは、本発明による基地局によって実行される第２のアルゴリズムの一例を開示する。
【０１３２】
より正確には、本アルゴリズムは、各ホーム基地局ＢＳのプロセッサ４００によって実行される。図１の例によれば、本アルゴリズムは、基地局ＢＳ２によって実行される。
【０１３３】
ステップＳ６２０において、プロセッサ４００は、コアネットワークデバイスＣＮによって転送されたメッセージの受信を検出する。このメッセージは、ネットワークインタフェース４０６を介して受信され、ＩＣＩＣ手順の開始を表す。
【０１３４】
次のステップＳ６２１において、プロセッサ４００は、無線インタフェース４０５を介したＩＣＩＣフラグの転送を指令する。
【０１３５】
より詳細には、ＩＣＩＣフラグは、ブロードキャストチャネルを介して転送することができる。すなわち、ＩＣＩＣフラグは、基地局ＢＳ２に関連付けられるとともに基地局ＢＳ２のカバレッジエリアＡＲ２に位置する各移動端末ＭＴへ基地局ＢＳ２によって転送される。
【０１３６】
一変形では、ＩＣＩＣフラグは、基地局ＢＳ２に関連付けられた移動端末ＭＴと基地局ＢＳ２とによって共有される暗号化鍵で解読される。
【０１３７】
ステップＳ６２２において、プロセッサ４００は、ＩＣＩＣ手順に従って、無線インタフェース４０５により放射される信号の送信電力を調整するように、無線インタフェース４０５に指令する。
【０１３８】
無線インタフェース４０５によって放射される信号の送信電力は、ステップＳ６２０において受信されたメッセージに示された値に削減することもできるし、ヌル値に削減することもできる。
【０１３９】
ここで、一変形では、基地局ＢＳ２によって放射される信号の送信電力は削減されない場合があり、基地局ＢＳ２のカバレッジエリアＡＲ２において信号を放射するマクロ基地局ＢＳの送信電力が増加されることに留意しなければならない。
【０１４０】
その後、プロセッサ４００は本アルゴリズムを中断する。
【０１４１】
図７ａは、本発明によるコアネットワークデバイスによって実行される第１のアルゴリズムの一例を開示する。
【０１４２】
より正確には、本アルゴリズムは、コアネットワークデバイスＣＮのプロセッサ３００によって実行される。
【０１４３】
ステップＳ７００において、プロセッサ３００は、ネットワークインタフェース３０６を介したメッセージの受信を検出する。このメッセージは、干渉信号に対する測定値を含み、図６ａのアルゴリズムのステップＳ６０１において基地局ＢＳ１により転送されたものと同様である。
【０１４４】
次のステップＳ７０１において、プロセッサ３００は、受信されたメッセージを使用して、基地局ＢＳにより転送された信号が互いに干渉するか否かをチェックし、干渉レベルが高い（一定のしきい値を上回る）ことを確認する。
【０１４５】
一変形では、プロセッサ３００は、干渉信号に対する測定値を含むメッセージを受信する代わりに、基地局ＢＳのジオロケーション情報を使用して、基地局ＢＳによって転送された信号が互いに干渉し得るか否かをチェックする。
【０１４６】
別の変形では、ステップＳ７０１は、基地局ＢＳによって実行される。このような場合、プロセッサ３００は、干渉信号に対する測定値を含むメッセージを受信する代わりに、基地局ＢＳによって転送された信号が互いに干渉することを示すメッセージを受信する。
【０１４７】
基地局ＢＳによって転送された信号が互いに干渉しない場合、プロセッサ３００は本アルゴリズムを中断する。
【０１４８】
基地局ＢＳによって転送された信号が互いに干渉する場合、プロセッサ３００はステップＳ７０２へ移動する。
【０１４９】
ステップＳ７０２において、プロセッサ３００は、ネットワークインタフェース３０６を介したメッセージの転送を指令する。このメッセージは、ＩＣＩＣ手順の確立を表す。
【０１５０】
このメッセージは、基地局ＢＳ１の干渉又は移動端末ＭＴ１の干渉を引き起こすホーム基地局ＢＳ２へ転送される。このメッセージは、基地局ＢＳ２によって放射される信号の新しい電力レベル値を示すこともできるし、基地局ＢＳ２によって放射される信号の電力レベルが削減されなければならないことを示すこともできる。
【０１５１】
一変形では、メッセージは、基地局ＢＳ２による干渉を受ける基地局ＢＳ１へも転送される。このメッセージは、基地局ＢＳ１によって放射される信号の新しい電力レベル値を示すこともできるし、基地局ＢＳ２によって放射される信号の電力レベルが増加されなければならないことを示すこともできる。
【０１５２】
次のステップＳ７０３において、プロセッサ３００は、タイマを起動する。このタイマは、ＩＣＩＣプロセスの最大継続時間を確定するものである。
【０１５３】
その後、プロセッサ３００は本アルゴリズムを中断する。
【０１５４】
図７ｂは、本発明によるコアネットワークデバイスによって実行される第２のアルゴリズムの一例を開示する。
【０１５５】
より正確には、本アルゴリズムは、コアネットワークデバイスＣＮのプロセッサ３００によって実行される。
【０１５６】
ステップＳ７２０において、プロセッサ３００は、ＩＣＩＣフラグを含むメッセージのネットワークインタフェース３０６を介した受信を検出する。このメッセージは、図５ｂのステップＳ５１３において開示したような移動端末ＭＴ２により転送されたＩＣＩＣＩフラグを含み、基地局ＢＳ１によって転送される。ＩＣＩＣフラグは、ＩＣＩＣフラグを送信した移動端末ＭＴ２に関連付けられた基地局ＢＳ２がＩＣＩＣ手順に従事していることをコアネットワークデバイスＣＮに知らせる。
【０１５７】
このメッセージは、移動端末ＭＴ２を識別する情報をさらに含む。
【０１５８】
次のステップＳ７２１において、プロセッサ３００は、ＩＣＩＣフラグが受理可能であるか否かをチェックする。
【０１５９】
ＩＣＩＣフラグは、ステップＳ７２０において受信されたメッセージを転送した基地局ＢＳ１のカバレッジエリアＡＲ１が、ＩＣＩＣフラグを送信した移動端末ＭＴ２に関連付けられた基地局ＢＳ２のカバレッジエリアＡＲ２に直接隣接している場合に受理可能である。
【０１６０】
ＩＣＩＣフラグは、ステップＳ７０３において起動されたタイマが満了していない場合に受理可能である。
【０１６１】
一変形では、ＩＣＩＣフラグを送信した移動端末ＭＴ２に関連付けられた基地局ＢＳ２がＩＣＩＣ手順に従事している場合には、プロセッサ３００は、ＲＡＭメモリ３０２に記憶されたデータベースを読み取ることによってＩＣＩＣフラグが受理可能であるか否かをさらにチェックする。
【０１６２】
より正確には、ＩＣＩＣフラグは、基地局ＢＳ２がＩＣＩＣ手順に従事していないときに、基地局ＢＳ１のカバレッジエリアＡＲ１が基地局ＢＳ２のカバレッジエリアの少なくとも一部を含む場合には、受理可能である。
【０１６３】
ＩＣＩＣフラグが受理可能である場合、プロセッサ３００はステップＳ７２２へ移動する。そうでない場合、プロセッサ３００は本アルゴリズムを中断する。優先条件は、移動端末ＭＴ２について設定されない。
【０１６４】
ステップＳ７２２において、プロセッサ３００は、移動端末ＭＴ２が基地局ＢＳ２を介して遠隔の電気通信デバイスとの通信を受信又は確立するときに、移動端末ＭＴ２について優先条件を設定する。
【０１６５】
ここで、移動端末ＭＴ２が複数の基地局ＢＳを介して遠隔の電気通信デバイスとの通信を受信又は確立し、それらの複数の基地局ＢＳのカバレッジエリアが、関連付けられた基地局ＢＳ２のカバレッジエリアＡＲ２をカバーするときに、移動端末ＭＴ２について優先条件を設定することができることに留意しなければならない。
【０１６６】
優先条件は、例えば、所与のサービス又はサービス群の優先料金請求ポリシーである。所与のサービス又はサービス群の優先料金請求ポリシーは、移動端末ＭＴが関連付けられていない基地局ＢＳ１のようなマクロ基地局を介して移動端末ＭＴ２が無線セルラー電気通信ネットワークにアクセスするときに移動端末ＭＴ２に料金請求するのに標準的に使用される所与のサービスの料金請求ポリシーによって提供される請求代金よりも、低い請求代金を提供する。所与のサービス又はサービス群の優先料金請求ポリシーは、通信の継続時間、並びに／又は通信中に移動端末ＭＴ２によって転送及び／若しくは受信されるデータの量に依存する場合がある。
【０１６７】
所与のサービス又はサービス群の優先料金請求ポリシーは、ヌル値に等しくすることができる。
【０１６８】
優先条件は、例えば、移動端末ＭＴ２の優先サービスとすることもできる。
【０１６９】
次のステップＳ７２３において、プロセッサ３００は、移動端末ＭＴ２が基地局ＢＳ２のカバレッジエリアＡＲ２から移動するか否かをチェックする。
【０１７０】
例えば、プロセッサ３００は、移動端末ＭＴ２が全地球的航法衛星システムモジュールを備える場合に、移動端末ＭＴ２が、移動端末ＭＴ２によって提供される移動端末ＭＴ２のロケーションを表す情報を使用してカバレッジエリアＡＲ２から移動するか否かをチェックする。
【０１７１】
例えば、プロセッサ３００は、移動端末ＭＴ２によって提供される信号に対する測定報告を使用して、移動端末ＭＴ２がカバレッジエリアＡＲ２から移動するか否かをチェックする。測定報告が、移動端末ＭＴ２に関連付けられた基地局ＢＳ２の近傍の基地局でない基地局ＢＳによって転送された信号を識別する場合、これは、端末ＭＴ２がカバレッジエリアＡＲ２から移動することを意味する。
【０１７２】
移動端末ＭＴ２が、基地局ＢＳ２のカバレッジエリアＡＲ２から移動する場合、プロセッサ３００はステップＳ７２５へ移動する。そうでない場合、プロセッサ３００はステップＳ７２４へ移動する。
【０１７３】
ステップＳ７２４において、プロセッサ３００は、ステップＳ７０３において起動されたタイマが満了していないかをチェックする。
【０１７４】
ステップＳ７０３において起動されたタイマが満了していない場合、プロセッサ３００はステップＳ７２３へ戻る。そうでない場合、プロセッサ３００はステップＳ７２５へ移動する。
【０１７５】
ステップＳ７２５において、プロセッサ３００は、移動端末ＭＴ２が遠隔の電気通信デバイスとの通信を受信又は確立するときにステップＳ７２２において移動端末ＭＴ２について設定された優先条件を解除する。
【０１７６】
その後、プロセッサ３００は本アルゴリズムを中断する。
【０１７７】
ここで、移動端末ＭＴ２を複数の基地局ＢＳに関連付けることができることに留意しなければならない。
【０１７８】
本発明は、基地局ＢＳが放射する信号の送信電力を基地局ＢＳがいつ減少又は増加させるのかを説明してきた。
【０１７９】
同じ方法で、移動端末ＭＴの送信電力も減少又は増加させることができる。
【０１８０】
当然のことながら、本発明の範囲から逸脱することなく、上述した本発明の実施形態に対して多くの変更を行うことができる。
【図１】
2010166559.tif 000003
【図２】
2010166559.tif 000004
【図３】
2010166559.tif 000005
【図４】
2010166559.tif 000006
【図５ａ】
2010166559.tif 000007
【図５ｂ】
2010166559.tif 000008
【図６ａ】
2010166559.tif 000009
【図６ｂ】
2010166559.tif 000010
【図７ａ】
2010166559.tif 000011
【図７ｂ】
2010166559.tif 000012
【外国語明細書】
2010166559.tif 000013
2010166559.tif 000014
2010166559.tif 000015
2010166559.tif 000016
2010166559.tif 000017
2010166559.tif 000018
2010166559.tif 000019
2010166559.tif 000020
2010166559.tif 000021
2010166559.tif 000022
2010166559.tif 000023
2010166559.tif 000024
2010166559.tif 000025
2010166559.tif 000026
2010166559.tif 000027
2010166559.tif 000028
2010166559.tif 000029
2010166559.tif 000030
2010166559.tif 000031
2010166559.tif 000032
2010166559.tif 000033
2010166559.tif 000034
2010166559.tif 000035
2010166559.tif 000036
2010166559.tif 000037
2010166559.tif 000038
2010166559.tif 000039
2010166559.tif 000040
2010166559.tif 000041
2010166559.tif 000042